(57)【特許請求の範囲】
【請求項１】
少なくとも、振動・揺動発生テーブルと、当該振動・揺動発生テーブルに搭載された、特定の姿勢のワークを整列させる形状を形成したパレットと、当該パレットの振動方向端部に配置されたワーク集積部とを備え、前記振動・揺動発生テーブルの振動、揺動で前記ワークを前記パレットに整列させると共に、前記振動・揺動発生テーブルの振動、揺動により前記ワークが流れ込んだ前記ワーク集積部を前記振動・揺動発生テーブルの振動から切り離す振動式振込装置であって、
前記振動・揺動発生テーブル上に搭載され、前記パレットと前記ワーク集積部を搭載すると共に前記ワーク集積部を摺動可能に保持する摺動レールを備え、
前記振動・揺動発生テーブルの一方への揺動により前記ワークが流れ込んだ前記ワーク集積部を前記ワークの流れ方向へ摺動させて前記パレットから分離させると共に、前記振動・揺動発生テーブルの他方への揺動により、前記パレットから分離した前記ワーク集積部を前記ワークの流れ方向とは対向する方向へ摺動させて前記パレットと連結させることを特徴とする振動式振込装置。
【請求項２】
前記パレットと前記ワーク集積部をお互いに引き合わせる引き合い部材を備えたことを特徴とする請求項１記載の振動式振込装置。
【請求項３】
前記ワーク集積部を前記パレットから切り離す切り離し部品を備えたことを特徴とする請求項１または２記載の振動式振込装置。
【請求項４】
前記パレットと前記ワーク集積部の接する端面に、お互いが摺動可能に噛合う凹凸部を形成したことを特徴とする請求項１、２または３記載の振動式振込装置。
【発明の詳細な説明】
【技術分野】
【０００１】
本発明は、振動式振込装置に関するものである。
【背景技術】
【０００２】
従来の振動式振込装置としては、振動・揺動発生テーブルへ特定の姿勢のワークを整列させる形状を形成したパレットを装着すると共に、前記パレットの振動方向両端部にワーク集積部を配置し、前記テーブルの振動、揺動で前記ワークを前記パレットに整列するように配置している。（例えば特許文献１参照）
【０００３】
図３は特許文献１で開示された振動式振込み機の使用態様を（ａ）乃至（ｄ）で示す正面図である。適当な手段でテーブル２２が揺動し、該テーブル２２の上に駆動源２３ａ、２３ｂを介して搭載された加工品集積部２２ａ、２２ｂ（本発明ではワーク集積部）が昇降するようになっている。揺動時に不図示である加工品（本発明ではワーク）を送り出す側の加工品集積部２２ａ（または２２ｂ）が上昇し、加工品をパレット２１へ供給し、パレット２１へ整列させ、パレット２１にて整列されなかった加工品が、パレット２１と平行に位置する流れ込み集積する側の加工品集積部２２ｂ（または２２ａ）に集積する構成になっている振動式振込み機である。２３ａ、２３ｂは揺動にタイミングを合わせて加工品集積部２２ａ（または２２ｂ）を上下させる駆動源である。
【０００４】
前記振動式振込み機は、加工品をテーブル２２の振動、揺動で加工品をパレット２１上に整列するように動作しているとき、パレット２１にて整列されなかった加工品は流れ込み集積する側の加工品集積部２２ａ（または２２ｂ）に集積し、この間絶えず振動をしている。
【０００５】
【特許文献１】特開平６−７２５２８号公報
【発明の開示】
【発明が解決しようとする課題】
【０００６】
しかし、前記従来の振動式振込み機では、加工品を前記振動・揺動発生テーブルの振動、揺動で加工品をパレットに整列するように動作しているとき、パレットにて整列されなかった加工品は流れ込み集積する側の加工品集積部に集積し、この間絶えず振動しているので、ワーク同士が擦れ合ってキズが発生する。
【課題を解決するための手段】
【０００７】
少なくとも、振動・揺動発生テーブルと、当該振動・揺動発生テーブルに搭載された、特定の姿勢のワークを整列させる形状を形成したパレットと、当該パレットの振動方向端部に配置されたワーク集積部とを備え、前記振動・揺動発生テーブルの振動、揺動で前記ワークを前記パレットに整列させると共に、前記振動・揺動発生テーブルの振動、揺動により前記ワークが流れ込んだ前記ワーク集積部を前記振動・揺動発生テーブルの振動から切り離す振動式振込装置であって、前記振動・揺動発生テーブル上に搭載され、前記パレットと前記ワーク集積部を搭載すると共に前記ワーク集積部を摺動可能に保持する摺動レールを備え、前記振動・揺動発生テーブルの一方への揺動により前記ワークが流れ込んだ前記ワーク集積部を前記ワークの流れ方向へ摺動させて前記パレットから分離させると共に、前記振動・揺動発生テーブルの他方への揺動により、前記パレットから分離した前記ワーク集積部を前記ワークの流れ方向とは対向する方向へ摺動させて前記パレットと連結させることを特徴とする振動式振込装置とする。
【０００８】
前記パレットと前記ワーク集積部をお互いに引き合わせる引き合い部材を備えた振動式振込装置とする。
【０００９】
前記ワーク集積部を前記パレットから切り離す切り離し部品を備えた振動式振込装置とする。
【００１０】
前記パレットと前記ワーク集積部の接する端面に、お互いが摺動可能に噛合う凹凸部を形成した振動式振込装置とする。
【発明の効果】
【００１１】
本発明の振動式振込装置は、ワークが流れ込み集積する側のワーク集積部にてワーク同士が擦れ合ってキズが発生するのを予防できる。
【００１２】
パレットとワーク集積部の切り離し部品を備えた振動式振込装置は、振動の切り離しまたは振動の伝達ができる。すなわち、ワーク集積部の振動を止めたい時は切り離し、ワーク集積部を振動させたい時は振動を伝達することが可能となる。
【００１３】
パレットとワーク集積部を同じ摺動レール上に搭載し、ワーク集積部を摺動レール上を摺動可能にした振動式振込装置は、従来の振動式振込み機のようにパレットの振動方向にある端部にワーク集積部を構成しても、パレットとワーク集積部の振動の切り離しまたは振動の伝達が自動的にできる。
【００１４】
パレットとワーク集積部の接する端面に、お互いが摺動可能に噛合う凹凸部を形成した振動式振込装置は、パレットとワーク集積部の切り離しによる隙間がジグザグ形状になるため、ワークが隙間に落下することなくワーク集積部に流れ込むことができる。
【発明を実施するための最良の形態】
【００１５】
以下、本発明の実施例を、図面を参照して説明する。図１は、本発明の振動式振込装置の斜視図である。１は振動・揺動発生テーブルである。２は摺動レールであり、振動・揺動発生テーブル１の上に装着されている。３は特定の姿勢のワーク（不図示）を整列させる形状を形成したパレット、４ａ、４ｂはワーク集積部であり、前記パレット３の振動方向にある端部に配置されている。５ａ、５ｂ及び５ｃはそれぞれ固定ブロック、摺動レール２上を動く摺動ブロックであり、本実施例ではパレット３に４個の固定ブロック５ａ、ワーク集積部４ａに２個の摺動ブロック５ｂ、ワーク集積部４ｂに２個の摺動ブロック５ｃを装着している。６ａ、６ｂはカムフォロアであり、ワーク集積部４ａ、４ｂにそれぞれカムフォロア６ａ、６ｂを２個ずつ装着している。７ａ、７ｂは板カムであり、振動・揺動発生テーブル１外に装着し、振動・揺動発生テーブル１の揺動動作でカムフォロア６ａ、６ｂが接触し、ワーク集積部４ａ、４ｂをそれぞれパレット３より切り離す切り離し部品である。８ａ、８ｂは引き合い部材である。引張りバネを用いていて、ワーク集積部４ａ、４ｂがパレットから切り離される時のパレット３とワーク集積部４ａ、４ｂが切り離される力より弱い引き合いの力であり、ワーク集積部４ａまたは４ｂを振動させたい時は、切り離されたパレット３とワーク集積部４ａ、４ｂを引き合わせることで振動の伝達ができる引き合い力を有する。本発明の振動式振込装置では引き合い部材として引張りバネを用いているが、磁石、ゴム等の引き合い部材でも前記力が確保できれば良い。９ａ、９ｂは凹凸部であり、パレット３とワーク集積部４ａ、４ｂの接する端面に、お互いが摺動可能に噛合うよう形成している。前記凹凸部により、パレット３とワーク集積部４ａ、４ｂの切り離しによる隙間がジグザグ形状になるため、ワークが切り離し部の隙間に落下することなくワーク集結部４ａ、または４ｂに流れ込むことができる。
【００１６】
図２は本発明の振動式振込装置の動作説明のための正面図であり、（ａ）は振込動作前の状態で、（ｂ）、（ｃ）は振り込み動作中の状態である。振動・揺動発生テーブル１の揺動により、ワーク集積部４ａ、４ｂと摺動ブロック５ｂ、５ｃは揺動の周期で摺動レール２上を図の左右に動く。図２（ｂ）においては振動・揺動発生テーブル１の揺動によりワーク（不図示）はワーク集積部４ｂからパレット３へ流され、特定の姿勢のワークはパレット３に整列され、異なる姿勢のワークは反対側のワーク集積部４ａに集積される。
【００１７】
ワークが流れ込み集積する方のワーク集積部４ａと摺動ブロック５ｂは振動・揺動発生テーブル１の揺動動作で、ワークが流れ込み集積する方のワーク集積部４ａに装着されているカムフォロア６ａと、振動・揺動発生テーブル１外に装着されている板カム７ａが接触し、ワーク集積部４ａはパレット３から切り離されて固定され、ワーク集積部４ａは振動より切り離される。ワークが流れ込み集積する方のワーク集積部４ａと摺動ブロック５ｂは振動・揺動発生テーブル１の揺動動作で、ワークが流れ込み集積する方のワーク集積部４ａに装着されているカムフォロア６ａと、振動・揺動発生テーブル１外に装着されている板カム７ａの接触が外れたとき、パレット３とワーク集積部４ａは、引張りバネ８ａ、８ｂにより引き合わされ、再び振動する。揺動が進み、図２（ｃ）に示す状態となる。この状態ではワークはワーク集積部４ｂに流れ込む。図２（ｂ）、（ｃ）の繰り返しでワークはパレット３に整列される。
【図面の簡単な説明】
【００１８】
【図１】本発明の振動式振込装置の斜視図
【図２】本発明の振動式振込装置の正面図
【図３】従来の振動式振込装置の正面図
【符号の説明】
【００１９】
１  振動・揺動発生テーブル
２  摺動レール
３  パレット
４ａ、４ｂ  ワーク集積部
５ａ  固定ブロック
５ｂ、５ｃ  摺動ブロック
６ａ、６ｂ  カムフォロア
７ａ、７ｂ  板カム
８ａ、８ｂ  引張りバネ
９ａ、９ｂ  凹凸部
２１  パレット
２２  テーブル
２２ａ、２２ｂ  加工品集結部
２３ａ、２３ｂ  駆動源
【図１】
0004568491.tif 000002
【図２】
0004568491.tif 000003
【図３】
0004568491.tif 000004